(57)【要約】【課題】ディスプレイ装置及びその制御方法、並びにディスプレイシステムを提供する。【解決手段】ディスプレイ装置は、少なくとも一つの周辺機器と通信を行う通信部と、前記周辺機器から受信した映像信号を処理する映像処理部と、前記映像信号に基づいて映像を表示し、且つユーザーのタッチ入力を感知するタッチ感知部を有するタッチパネル表示部と、前記周辺機器から受信した前記映像信号に基づく映像が前記タッチパネル表示部に表示されるように前記映像処理部を制御する第１のモードと、前記タッチパネル表示部にグラフィックユーザーインターフェースを表示し、該ＧＵＩを用いて前記周辺機器の制御のための前記タッチ入力を受信するように前記映像処理部及び前記タッチパネル表示部を制御する第２のモードが、ユーザーの設定によって動作するようにする制御部と、を備える。【選択図】図３
2013191207.tif 000002
【特許請求の範囲】
【請求項１】
少なくとも一つの周辺機器と通信を行う通信部と、
前記周辺機器から受信した映像信号を処理する映像処理部と、
前記映像信号に基づいて映像を表示し、且つユーザーのタッチ入力を感知するタッチ感知部を有するタッチパネル表示部と、
前記周辺機器から受信した前記映像信号に基づく映像が前記タッチパネル表示部に表示されるように前記映像処理部を制御する第１のモードと、前記タッチパネル表示部にグラフィックユーザーインターフェース（Ｇｒａｐｈｉｃａｌ  Ｕｓｅｒ  Ｉｎｔｅｒｆａｃｅ：ＧＵＩ）を表示し、該ＧＵＩを用いて前記周辺機器の制御のための前記タッチ入力を受信するように前記映像処理部及び前記タッチパネル表示部を制御する第２のモードが、所定の設定によって動作するようにする制御部と、
を備えるディスプレイ装置。
【請求項２】
前記少なくとも一つの周辺機器は、前記映像信号を発生する映像機器と、前記映像機器に接続された外部ディスプレイ装置と、を有し、
前記外部ディスプレイ装置は、前記映像信号に基づいて第１の映像を表示し、
前記制御部は、前記第１のモード時に、前記映像信号に基づいて、前記第１の映像と同一の又は異なる第２の映像が前記タッチパネル表示部に表示されるようにする、請求項１に記載のディスプレイ装置。
【請求項３】
前記ＧＵＩは、オンスクリーンキーボード及びオンスクリーンタッチパッド用のグラフィックのうち少なくとも一方を含む、請求項１又は２に記載のディスプレイ装置。
【請求項４】
前記ＧＵＩは、前記第１のモード及び前記第２のモードを選択するための選択窓を有し、
前記制御部は、前記選択窓を介したユーザーのタッチ入力に応じて前記第１のモード及び前記第２のモードのいずれか一方を選択し、該選択されたモードによって前記表示制御を行う、請求項１〜３のいずれか１項に記載のディスプレイ装置。
【請求項５】
前記通信部は、前記外部ディスプレイ装置と通信を行う第１の通信部を有し、
前記制御部は、前記第１の通信部を介して前記外部ディスプレイ装置から前記第２の映像を表示するための映像信号を受信するように制御する、請求項２〜４のいずれか１項に記載のディスプレイ装置。
【請求項６】
前記通信部は、前記映像機器と通信を行う第２の通信部を有し、
前記制御部は、前記第２の通信部を介して前記映像機器から前記第２の映像を表示するための映像信号を受信するように制御する、請求項２〜５のいずれか１項に記載のディスプレイ装置。
【請求項７】
前記通信部は、前記外部ディスプレイ装置と通信する第１の通信部を有し、
前記制御部は、前記外部ディスプレイ装置を介して前記タッチ入力に対応する制御信号を前記映像機器に伝送する、請求項２〜４のいずれか１項に記載のディスプレイ装置。
【請求項８】
前記通信部、前記映像処理部及び前記制御部を収容するとともに前記タッチパネル表示部の表示面が露出されるように構成され、外部には前記周辺機器に装着可能な結合部が設けられたケースをさらに備える、請求項１〜６のいずれか１項に記載のディスプレイ装置。
【請求項９】
少なくとも一つの周辺機器に接続して動作可能であり、ユーザーのタッチ入力を感知するタッチ感知部を有するタッチパネル表示部を備えたディスプレイ装置の制御方法であって、
ユーザーの設定に基づいて、動作するモードを決定することと、
前記ユーザーの設定に基づいて第１のモードが決定されたとき、前記周辺機器から受信した映像信号に基づいて前記タッチパネル表示部に映像を表示することと、
前記ユーザーの設定に基づいて第２のモードが決定されたとき、前記タッチパネル表示部に前記周辺機器の制御のためにタッチ入力を受信するためのグラフィックユーザーインターフェース（Ｇｒａｐｈｉｃａｌ  Ｕｓｅｒ  Ｉｎｔｅｒｆａｃｅ：ＧＵＩ）の表示制御を行うことと、
を含む、ディスプレイ装置の制御方法。
【請求項１０】
前記少なくとも一つの周辺機器は、前記映像信号を発生する映像機器と、前記映像機器に接続された外部ディスプレイ装置と、を有し、
前記映像を表示することは、前記第１のモード時に、前記映像信号に基づいて、前記第１の映像と同一の又は異なる第２の映像を表示することを含む、請求項９に記載のディスプレイ装置の制御方法。
【請求項１１】
前記ＧＵＩは、オンスクリーンキーボード及びオンスクリーンタッチパッド用のグラフィックのうち少なくとも一方を含む、請求項９又は１０に記載のディスプレイ装置の制御方法。
【請求項１２】
前記ＧＵＩは、前記第１のモード及び前記第２のモードを選択するための選択窓を有し、
前記モードを決定することは、前記選択窓を介したユーザーのタッチ入力に基づいて前記第１のモード及び前記第２のモードのいずれか一方を選択することを含み、
前記映像を表示すること及び前記表示制御を行うことは、前記選択されたモードによって行われる、請求項９〜１１のいずれか１項に記載のディスプレイ装置の制御方法。
【請求項１３】
前記外部ディスプレイ装置を介して前記第２の映像を表示するための映像信号を受信することをさらに含む、請求項１０〜１２のいずれか１項に記載のディスプレイ装置の制御方法。
【請求項１４】
前記映像機器から前記第２の映像を表示するための映像信号を受信することをさらに含む、請求項１０〜１２のいずれか１項に記載のディスプレイ装置の制御方法。
【請求項１５】
前記タッチ入力に対応する制御信号を前記映像機器に伝送することをさらに含む、請求項１０〜１２のいずれか１項に記載のディスプレイ装置の制御方法。
【発明の詳細な説明】
【技術分野】
【０００１】
本発明は、ディスプレイ装置及びその制御方法に係り、特に、タッチ入力に基づくディスプレイ装置及びその制御方法に関する。
【背景技術】
【０００２】
近年、スマートフォン、スマートパッド、タブレットＰＣなどのようにタッチ入力に基づくディスプレイ装置が広く使用されている。この種のディスプレイ装置は、映画、音楽などのようなマルチメディアコンテンツ再生機能、電話、インターネットなどのような通信機能、電子書籍機能、カメラ機能などを含む様々な機能を提供することができる。
【０００３】
さらに、このようなタッチ入力に基づくディスプレイ装置を用いてより有用な機能を提供できる技術の開発が望まれる。
【発明の概要】
【発明が解決しようとする課題】
【０００４】
したがって、本発明の目的は、タッチ入力に基づいてより有用な機能を提供できるディスプレイ装置及びその制御方法を提供することにある。
【課題を解決するための手段】
【０００５】
本発明の上記の目的は、少なくとも一つの周辺機器と通信を行う通信部と、前記周辺機器から受信した映像信号を処理する映像処理部と、前記映像信号に基づいて映像を表示し、且つユーザーのタッチ入力を感知するタッチ感知部を有するタッチパネル表示部と、前記周辺機器から受信した前記映像信号に基づく映像が前記タッチパネル表示部に表示されるように前記映像処理部を制御する第１のモードと、前記タッチパネル表示部にグラフィックユーザーインターフェース（Ｇｒａｐｈｉｃａｌ  Ｕｓｅｒ  Ｉｎｔｅｒｆａｃｅ：ＧＵＩ）を表示し、該ＧＵＩを用いて前記周辺機器の制御のための前記タッチ入力を受信するように前記映像処理部及び前記タッチパネル表示部を制御する第２のモードが、ユーザーの設定によって動作するようにする制御部と、を備えるディスプレイ装置によって達成することができる。
【０００６】
前記少なくとも一つの周辺機器は、前記映像信号を発生する映像機器と、前記映像機器に接続された外部ディスプレイ装置と、を有し、前記外部ディスプレイ装置は、前記映像信号に基づいて第１の映像を表示し、前記制御部は、前記第１のモード時に、前記映像信号に基づいて、前記第１の映像と同一の又は異なる第２の映像が前記タッチパネル表示部に表示されるようにしてもよい。
【０００７】
前記ＧＵＩは、オンスクリーンキーボード及びオンスクリーンタッチパッド用のグラフィックのうち少なくとも一方を含んでもよい。
【０００８】
前記ＧＵＩは、前記第１のモード及び前記第２のモードを選択するための選択窓を有し、前記制御部は、前記選択窓を介したユーザーのタッチ入力に応じて前記第１のモード及び前記第２のモードのいずれか一方を選択し、該選択されたモードによって前記表示制御を行ってもよい。
【０００９】
前記通信部は、前記外部ディスプレイ装置と通信を行う第１の通信部を有し、前記制御部は、前記第１の通信部を介して前記外部ディスプレイ装置から前記第２の映像を表示するための映像信号を受信するように制御してもよい。
【００１０】
前記通信部は、前記映像機器と通信を行う第２の通信部を有し、前記制御部は、前記第２の通信部を介して前記映像機器から前記第２の映像を表示するための映像信号を受信するように制御してもよい。
【００１１】
前記通信部は、前記外部ディスプレイ装置と通信する第１の通信部を有し、前記制御部は、前記外部ディスプレイ装置を介して前記タッチ入力に対応する制御信号を前記映像機器に伝送してもよい。
【００１２】
前記通信部は、前記映像機器と通信する第１の通信部をさらに有し、前記制御部は、前記タッチ入力に対応する制御信号を前記映像機器に伝送してもよい。
【００１３】
前記ディスプレイ装置は、前記通信部、前記映像処理部及び前記制御部を収容するとともに前記タッチパネル表示部の表示面が露出されるように構成され、外部には前記周辺機器に装着可能な結合部が設けられたケースをさらに備えてもよい。
【００１４】
本発明の上記の目的は、少なくとも一つの周辺機器に接続して動作可能であり、ユーザーのタッチ入力を感知するタッチ感知部を有するタッチパネル表示部を備えたディスプレイ装置の制御方法において、ユーザーの設定に基づいて、動作するモードを決定することと、前記ユーザーの設定に基づいて第１のモードが決定されたとき、前記周辺機器から受信した映像信号に基づいて前記タッチパネル表示部に映像を表示することと、前記ユーザーの設定に基づいて第２のモードが決定されたとき、前記タッチパネル表示部に前記周辺機器の制御のためにタッチ入力を受信するためのグラフィックユーザーインターフェース（Ｇｒａｐｈｉｃａｌ  Ｕｓｅｒ  Ｉｎｔｅｒｆａｃｅ：ＧＵＩ）の表示制御を行うことと、を含む、ディスプレイ装置の制御方法によっても達成することができる。
【００１５】
前記少なくとも一つの周辺機器は、前記映像信号を発生する映像機器と、前記映像機器に接続された外部ディスプレイ装置と、を有し、前記映像を表示することは、前記第１のモード時に、前記映像信号に基づいて、前記第１の映像と同一の又は異なる第２の映像を表示することを含んでもよい。
【００１６】
前記ＧＵＩは、オンスクリーンキーボード及びオンスクリーンタッチパッド用のグラフィックのうち少なくとも一方を含んでもよい。
【００１７】
前記ＧＵＩは、前記第１のモード及び前記第２のモードを選択するための選択窓を有し、前記モードを決定することは、前記選択窓を介したユーザーのタッチ入力に基づいて前記第１のモード及び前記第２のモードのいずれか一方を選択することを含み、前記映像を表示すること及び前記表示制御を行うことは、前記選択されたモードによって行われてもよい。
【００１８】
前記ディスプレイ装置の制御方法は、前記外部ディスプレイ装置を介して前記第２の映像を表示するための映像信号を受信することをさらに含んでもよい。
【００１９】
前記ディスプレイ装置の制御方法は、前記映像機器から前記第２の映像を表示するための映像信号を受信することをさらに含んでもよい。
【００２０】
前記ディスプレイ装置の制御方法は、前記タッチ入力に対応する制御信号を前記映像機器に伝送することをさらに含んでもよい。
【００２１】
前記伝送する段階は、前記タッチ入力に対応する制御信号を前記外部ディスプレイ装置を介して前記映像機器に伝送することを含んでもよい。
【発明の効果】
【００２２】
本発明によれば、上記のようなタッチ入力に基づくディスプレイ装置を活用してより有用な機能を提供することができる。
【図面の簡単な説明】
【００２３】
【図１】本発明の一実施例に係るディスプレイ装置及びディスプレイシステムを示すブロック図である。
【図２】主ディスプレイ装置と副ディスプレイ装置とが隣接して配置される一例を示す図である。
【図３】図１に示した副ディスプレイ装置の構成を示すブロック図である。
【図４】図３に示した副ディスプレイ装置の制御方法の例をそれぞれ示すフローチャートである。
【図５】図３に示した副ディスプレイ装置の制御方法の例をそれぞれ示すフローチャートである。
【図６】図３に示した副ディスプレイ装置の制御方法の例をそれぞれ示すフローチャートである。
【図７】図３に示した副ディスプレイ装置の制御方法の例をそれぞれ示すフローチャートである。
【図８】図１に示した副ディスプレイ装置が表示するオンスクリーンキーボード及びオンスクリーンタッチパッドの一例を示す図である。
【図９】図３に示した副ディスプレイ装置の制御方法の他の例を示すフローチャートである。
【図１０】図１に示した副ディスプレイ装置の結合部を示す図である。
【発明を実施するための形態】
【００２４】
以下、本発明の一実施例について詳細に説明する。
【００２５】
図１は、本発明の一実施例に係るディスプレイ装置を示すブロック図である。
【００２６】
本発明の一実施例に係るディスプレイ装置(以下、「副ディスプレイ装置」という。）２は主ディスプレイ装置１と共に使用されることが可能である。副ディスプレイ装置２は、主ディスプレイ装置１と隣接して配置されてもよく、主ディスプレイ装置１から離れて使用されてもよい。図２には、主ディスプレイ装置１と副ディスプレイ装置２とが隣接して配置される一例を示す。
【００２７】
主ディスプレイ装置１は映像機器３から映像信号を受信し、当該映像信号に基づいて映像を表示する。映像機器３はＰＣなどであり、主ディスプレイ装置１及び／または副ディスプレイ装置２に映像信号を提供する。副ディスプレイ装置２は、映像機器３及び主ディスプレイ装置１と通信を行い、そのいずれか一方から映像信号を受信して映像を表示することができる。副ディスプレイ装置２はいわゆるタッチスクリーン機能を有し、ユーザーのタッチ入力に基づいて主ディスプレイ装置１及び副ディスプレイ装置２の映像表示制御を行う。例えば、副ディスプレイ装置２は、主ディスプレイ装置１と隣接して配置される場合に、主ディスプレイ装置１の補助ディスプレイ装置としての機能を果たす。副ディスプレイ装置２は、主ディスプレイ装置１と一緒にデュアル画面を構成したり、主ディスプレイ装置１の映像(以下、「第１の映像」ともいう。）に関する情報を提供したり、第１の映像を補助する映像（以下、「第２の映像」ともいう。）を表示したり、第１の映像に関するＧＵＩメニューを提供し、該ＧＵＩメニューを用いたユーザーの入力に応じて第１の映像の表示制御を行ったりすることができる。第２の映像は第１の映像と異なっても同一でもよい。或いは、第１の映像及び第２の映像は、一つの全体映像を構成する一部の映像であってもよい。
【００２８】
一方、副ディスプレイ装置２は、主ディスプレイ装置１から離れて使用される場合には、オンスクリーンキーボード、オンスクリーンタッチパッドなどのグラフィックユーザーインターフェース（Ｇｒａｐｈｉｃａｌ  Ｕｓｅｒ  Ｉｎｔｅｒｆａｃｅ：ＧＵＩ）を提供することによって、映像機器３の入力装置としての機能を果たすことができる。主ディスプレイ装置１及び映像機器３は、副ディスプレイ装置２の周辺機器の一例である。また、主ディスプレイ装置１は副ディスプレイ装置２の外部ディスプレイ装置の一例である。
【００２９】
図３は、図１に示した副ディスプレイ装置２の構成を示すブロック図である。副ディスプレイ装置２は、通信部２１、映像処理部２２、タッチパネル表示部２３及び制御部２５を備えている。通信部２１は、主ディスプレイ装置１及び映像機器３との通信を行う。通信部２１は、主ディスプレイ装置１との通信を行う第１の通信部２１１、及び映像機器３との通信を行う第２の通信部２１２を有することができる。第１の通信部２１１は、副ディスプレイ装置２が主ディスプレイ装置１と隣接して配置される場合に主ディスプレイ装置１と通信を行うことができる。第１の通信部２１１は、例えば、ＵＳＢのような通信方式で主ディスプレイ装置１との通信を行うことができる。第２の通信部２１２は、例えば、ＷｉＦｉのような無線通信方式で映像機器３との通信を行うことができる。第２の通信部２１２は、副ディスプレイ装置２が主ディスプレイ装置１と隣接して使用される場合の他、副ディスプレイ装置２が主ディスプレイ装置１から離れて使用されれる場合にも、映像機器３との通信を行うことができる。
【００３０】
映像処理部２２は、通信部２１を介して受信した映像信号に基づいて第２の映像を表示可能なように処理する。また、映像処理部２２は、ＧＵＩを表示可能なように処理する。
【００３１】
タッチパネル表示部２３は、映像処理部２２で処理される第２の映像及び／またはＧＵＩを表示する。タッチパネル表示部２３にはＬＣＤ、ＯＬＥＤなどのような表示素子を用いる。
【００３２】
タッチパネル表示部２３は、タッチパネル表示部２３上のユーザーのタッチ入力を感知するタッチ感知部２４を有し、感知されたユーザーのタッチ入力を制御部２５に伝達する。
【００３３】
制御部２５は、副ディスプレイ装置２の全般を制御する。制御部２５は、ユーザーのタッチ入力に応じて、主ディスプレイ装置１の第１の映像及びタッチパネル表示部２３の第２の映像の少なくとも一方の表示制御を行う。制御部２５は、図示しないが、上記の制御動作を可能にする制御プログラムが記憶された不揮発性のメモリーと、記憶された制御プログラムの少なくとも一部をローディングする揮発性のメモリーと、ローディングされた制御プログラムを実行するマイクロプロセッサと、を備えることができる。
【００３４】
図４は、図３に示した副ディスプレイ装置２の制御方法を示すフローチャートである。動作Ｓ４１で、副ディスプレイ装置２は、映像機器３及び主ディスプレイ装置１の少なくとも一方と通信を行う。動作Ｓ４２で、副ディスプレイ装置２はユーザーのタッチ入力を受信する。動作Ｓ４３で、副ディスプレイ装置２は、ユーザーのタッチ入力に応じて、主ディスプレイ装置１の第１の映像及び副ディスプレイ装置２の第２の映像の少なくとも一方の表示制御を行う。
【００３５】
図５は、図３に示した副ディスプレイ装置２の制御方法の他の例を示すフローチャートである。この実施例は、図２に示すように、副ディスプレイ装置２が主ディスプレイ装置１と隣接して配置された場合における例示である。この場合、副ディスプレイ装置２は主ディスプレイ装置１に物理的に装着可能である。副ディスプレイ装置２は、副ディスプレイ装置２を主ディスプレイ装置１に装着可能にする結合部（図１０の参照符号２６）をさらに有することができる。副ディスプレイ装置２は、図１０に示すように、通信部２１、映像処理部２２及び制御部２５を収容するとともにタッチパネル表示部２３の表示面が露出されるように構成され、且つ外面部に結合部２６を有するケース２７をさらに備えることができる。副ディスプレイ装置２の結合部２６は、図１０に示すように、主ディスプレイ装置１に設けられた結合部１１に結合し、これで、副ディスプレイ装置２が主ディスプレイ装置１により支持される。図１０に示す結合部２６は一実施例に過ぎず、副ディスプレイ装置２を主ディスプレイ装置１に装着可能にするいかなる形態の結合手段も本発明に適用可能である。例えば、副ディスプレイ装置２の結合部（図示せず）を、主ディスプレイ装置１と直接結合されるものではなく、主ディスプレイ装置１を支持する支持部（図示せず）に結合して支持されるものとしてもよい。
【００３６】
一方、第１の通信部２１１はコネクター２１１ａを有しており、副ディスプレイ装置２と主ディスプレイ装置１との結合時に、主ディスプレイ装置１に設けられたコネクター１２と相互結合することができる。図１０に示すコネクター２１１ａは一実施例に過ぎず、副ディスプレイ装置２の主ディスプレイ装置１との通信を可能にするいかなる形態のコネクターも本発明に適用可能である。例えば、第１の通信部２１１のコネクター（図示せず）は、図１０に示すような形態に限定されず、雌コネクターの形態（参照符号１２参照）でケース２７の側面（すなわち、主ディスプレイ装置１と向かい合うケース２７の面）以外の面（例えば、背面など）に設けられ、ケーブル（図示せず）を介して主ディスプレイ装置１のコネクター１２と接続されてもよい。
【００３７】
副ディスプレイ装置２が主ディスプレイ装置１に装着されるとき、副ディスプレイ装置２の第１の通信部２１１も主ディスプレイ装置１の通信部（図示せず）に接続される。
【００３８】
副ディスプレイ装置２が主ディスプレイ装置１に接続されると、動作Ｓ５１で、副ディスプレイ装置２は、表示モードの選択のためのＧＵＩを表示する。本実施例の表示モードとしては、デュアル画面モード、インタラクションモード、遠隔制御モードなどを含む。デュアル画面モード及びインタラクションモードはそれぞれ、本発明の第１のモード及び第２のモードの一例である。ユーザーは、ＧＵＩに設けられたアイコンなどをタッチして所望のモードを選択することができる。動作Ｓ５２で、副ディスプレイ装置２は、表示モードの選択に関するユーザーのタッチ入力を受信する。動作Ｓ５３で、副ディスプレイ装置２は、ユーザーのタッチ入力によって選択された表示モードに対応する表示制御を行う。
【００３９】
例えば、デュアル画面モードが選択されると、副ディスプレイ装置２は、主ディスプレイ装置１の第１の映像と副ディスプレイ装置２の第２の映像とがデュアル画面を構成するように制御を行う。副ディスプレイ装置２は、デュアル画面モードが選択されたことを示す制御信号を映像機器３に伝送する。このとき、副ディスプレイ装置２は、第２の通信部２１２を介して制御信号を映像機器３に直接伝送してもよく、第１の通信部２１１を介して主ディスプレイ装置１から制御信号を映像機器３に伝送してもよい。映像機器３は、デュアル画面モードが選択されたことを示す制御信号を副ディスプレイ装置２から受信すると、デュアル画面を構成するための第１の映像の映像信号を主ディスプレイ装置１に伝送し、デュアル画面を構成するための第２の映像の映像信号を副ディスプレイ装置２に伝送する。このとき、副ディスプレイ装置２は、第２の映像の映像信号を第２の通信部２１２を介して映像機器３から直接受信してもよく、映像機器３から主ディスプレイ装置１を経由して第１の通信部２１１を介して受信してもよい。主ディスプレイ装置１及び副ディスプレイ装置２は、受信した映像信号に基づいて第１の映像及び第２の映像をそれぞれ表示してデュアル画面を提供する。
【００４０】
他の例として、インタラクションモードが選択されると、副ディスプレイ装置２は主ディスプレイ装置１とのインタラクションを用いて主ディスプレイ装置１の第１の映像とタッチパネル表示部２３の第２の映像の表示制御を行う。具体的に、インタラクションモードの一つとして画像通話機能を挙げて説明する。画像通話機能を提供するアプリケーションは、副ディスプレイ装置２、主ディスプレイ装置１及び映像機器３のいずれで実行されてもよい。アプリケーションの機能を円滑に提供するために、副ディスプレイ装置２、主ディスプレイ装置１及び映像機器３は相互通信を行い、必要な情報、データ及び制御信号を交換することができる。
【００４１】
図６は、副ディスプレイ装置２の制御方法の他の例を示すフローチャートである。動作Ｓ６１で、副ディスプレイ装置２は、主ディスプレイ装置１の第１の映像の制御に関するＧＵＩを表示することができる。例えば、副ディスプレイ装置２は、画像通話の相手の選択、通話開始などのメニューを含むＧＵＩ（図示せず）を表示することができる。ユーザーは、副ディスプレイ装置２に提供されたＧＵＩを用いて特定の相手を選択し、画像通話を開始することができる。動作Ｓ６２で、副ディスプレイ装置２は、ＧＵＩを用いたユーザーのタッチ入力を受信する。動作Ｓ６３で、副ディスプレイ装置２は、ユーザーのタッチ入力に応じて第１の映像が表示されるように表示制御を行うことができる。例えば、副ディスプレイ装置２は、ユーザーのタッチ入力に応じて画像通話の相手を決定することができる。副ディスプレイ装置２は、決定された画像通話の相手の情報を主ディスプレイ装置１に知らせることができる。主ディスプレイ装置１は、ユーザーが選択した画像通話の相手の姿を第１の映像として表示することができる。または、副ディスプレイ装置２が相手の姿を含んでいる映像を受信し、それを主ディスプレイ装置１に伝達することもできる。
【００４２】
副ディスプレイ装置２は、ユーザーの姿を第２の映像として表示することができる。副ディスプレイ装置２は、ユーザーの姿を撮影するカメラ部（図示せず）をさらに備えてもよく、主ディスプレイ装置１または映像機器３からユーザーの姿の映像を受信してもよい。
【００４３】
インタラクションモードの他の例として、動映像再生機能を挙げて説明する。副ディスプレイ装置２は、再生しようとする動映像の選択、再生、巻き戻しなどのメニューを含むＧＵＩ（図示せず）を表示することができる。ユーザーは、副ディスプレイ装置２に提供されたＧＵＩを用いてタッチにより所望の動映像を選択し、動映像の再生を開始することができる。主ディスプレイ装置１は、ユーザーの選択した動映像を第１の映像として表示する。副ディスプレイ装置２は、動映像に関する関連情報をさらに表示してもよい。他の例として、主ディスプレイ装置１はＴＶ番組の映像を表示し、副ディスプレイ装置２は、ＴＶ番組に関する関連情報及び／またはＧＵＩを提供することができる。
【００４４】
他の例として、遠隔制御モードが選択された場合を説明する。この実施例では、主ディスプレイ装置１が副ディスプレイ装置２から離れて使用される場合を挙げて説明する。図７は、副ディスプレイ装置２の制御方法のさらに他の例を示すフローチャートである。動作Ｓ７１で、副ディスプレイ装置２は、タッチパネル表示部２３にオンスクリーンキーボード及び／またはオンスクリーンタッチパッドを表示する。図８に、副ディスプレイ装置２が表示するオンスクリーンキーボード及びオンスクリーンタッチパッドの一例を示す。副ディスプレイ装置２は、タッチパネル表示部２３の画面８１にオンスクリーンキーボード８２及びオンスクリーンタッチパッド８３のＧＵＩを表示する。ユーザーは、オンスクリーンキーボード８２及びオンスクリーンタッチパッド８３を用いてタッチにより種々の入力を行うことができる。一方、画面８１に映像８４がさらに表示されてもよい。この映像８４は、周辺機器である映像機器３或いはディスプレイ装置１から受信した映像信号を処理して表示されるものでよい。オンスクリーンキーボード８２及びオンスクリーンタッチパッド８３のＧＵＩは、映像８４と区分して表示されてもよく、重なって表示されてもよい。動作Ｓ７２で、副ディスプレイ装置２は、オンスクリーンキーボード８２及びオンスクリーンタッチパッド８３を用いたユーザーのタッチ入力を受信する。動作Ｓ７３で、副ディスプレイ装置２は、ユーザーのタッチ入力に対応する制御信号を映像機器３に伝送する。映像機器３は、受信したユーザーのタッチ入力に応じて動作を行う。副ディスプレイ装置２は、映像機器３の出力映像を受信して画面８１に表示することもできる。このように、ユーザーは、副ディスプレイ装置２を用いて映像機器３を遠隔制御することによって、機能の多様性及び使用の便宜性を得ることができる。
【００４５】
図９は、図３に示した副ディスプレイ装置２の制御方法の他の例を示すフローチャートである。動作Ｓ９１で、副ディスプレイ装置２は、ユーザーの設定に基づいて第１のモード及び第２のモードのいずれのモードで動作するかを決定する。ユーザーの設定は、副ディスプレイ装置２の使用時にタッチ感知部２４を介して実時間で受信されるユーザーの入力による設定でもよく、副ディスプレイ装置２の所定のメモリー（図示せず）に記憶された設定情報による設定でもよい。第１のモードで動作すると決定した場合、動作Ｓ９２で、副ディスプレイ装置２は、周辺機器、すなわち、主ディスプレイ装置１あるいは映像機器３から受信する映像信号に基づいて映像を表示する。例えば、デュアル画面モードでは、副ディスプレイ装置２は、主ディスプレイ装置に表示されている第１の映像と共にデュアル画面を構成する第２の映像を表示する。副ディスプレイ装置２は、第１のモード時に、直接映像機器３に、または主ディスプレイ装置１を介して映像機器３に、デュアル画面を構成する第２の映像を含む映像信号を伝送するように要請することができる。一方、第２のモード時に、例えば、インタラクションモードが選択された場合に、動作Ｓ９３で、副ディスプレイ装置２は、周辺機器である主ディスプレイ装置１あるいは映像機器３の制御のためにユーザーのタッチ入力を受信するためのＧＵＩの表示制御を行う。
【００４６】
以上では好適な実施例を挙げて本発明を詳細に説明したが、本発明は、これらの実施例に限定されず、特許請求の範囲内で種々実施することができる。
【符号の説明】
【００４７】
１      主ディスプレイ装置
２      副ディスプレイ装置
３      映像機器
２１    通信部
２２    映像処理部
２３    タッチパネル表示部
２４    タッチ感知部
２５    制御部
【図１】
2013191207.tif 000003
【図２】
2013191207.tif 000004
【図３】
2013191207.tif 000005
【図４】
2013191207.tif 000006
【図５】
2013191207.tif 000007
【図６】
2013191207.tif 000008
【図７】
2013191207.tif 000009
【図８】
2013191207.tif 000010
【図９】
2013191207.tif 000011
【図１０】
2013191207.tif 000012